【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
航空機から捜索救助システムへ警報を伝達する方法であって、
通信衛星を経由して前記航空機上の追跡デバイスから航空機追跡システムの受信機によって、前記航空機を特定する識別情報及び前記航空機の位置を特定する位置情報を含む警報を受信すること、
前記警報を受信したことに応じて、遭難無線ビーコンによって生成される信号の標準的な形式で、識別情報及び位置情報を含むエミュレートされた遭難無線ビーコン信号を、前記航空機追跡システムのフォーマッタによって、生成すること、
前記エミュレートされた遭難無線ビーコン信号を、前記捜索救助システムによって受信及び処理されるように構成されたエミュレートされた遭難無線ビーコンからの発信として、前記航空機以外の場所から前記航空機追跡システムの送信機によって送信すること、並びに
前記エミュレートされた遭難無線ビーコン信号を送信する前に、前記航空機を特定する見掛けの遭難無線ビーコンからの発信が前記エミュレートされた遭難無線ビーコンからの発信であることを示す登録情報を、前記航空機追跡システムによって前記捜索救助システムへ送信すること
を含む、方法。
【請求項２】
前記エミュレートされた遭難無線ビーコン信号を生成することが、緊急位置発信器によって生成される信号の標準的な形式で、エミュレートされた緊急位置発信器信号を生成することを含み、
前記エミュレートされた遭難無線ビーコン信号を送信することが、前記エミュレートされた緊急位置発信器信号を、前記捜索救助システムによって受信及び処理されるように構成されたエミュレートされた緊急位置発信器からの発信として、前記航空機以外の前記場所から送信することを含む、請求項１に記載の方法。
【請求項３】
前記エミュレートされた緊急位置発信器信号を送信することが、緊急位置発信器からの発信をエミュレートするために、前記エミュレートされた緊急位置発信器信号をおよそ４０６ＭＨｚで送信することを含む、請求項２に記載の方法。
【請求項４】
前記登録情報が、前記エミュレートされた遭難無線ビーコン信号を送信するための前記送信機の場所であって、前記航空機以外の前記場所を特定する送信機情報を含む、請求項１に記載の方法。
【請求項５】
前記航空機からの前記警報を前記航空機追跡システムの評価器によって評価して、前記警報が、前記航空機が遭難したことを示す遭難警報であるか否かを決定すること、及び
前記警報が前記遭難警報であるとの決定に応じて、前記エミュレートされた遭難無線ビーコン信号を生成及び送信することを更に含む、請求項１に記載の方法。
【請求項６】
前記警報が、低地球軌道にある前記通信衛星を経由して前記航空機から受信される、請求項１に記載の方法。
【請求項７】
前記警報が、イリジウム通信衛星を経由して前記航空機から受信される、請求項６に記載の方法。
【請求項８】
前記警報が、前記航空機に搭載された前記追跡デバイスによって生成され、前記追跡デバイスが、
衛星航法システムから受信したナビゲーション信号を使用して、前記航空機の前記位置を特定するように構成された衛星航法システム受信機、
衛星通信送受信機、
前記衛星航法システム受信機及び前記衛星通信送受信機のための幾つかのアンテナ、
前記航空機が遭難した時を特定するように構成された遭難識別器、
前記衛星航法システム受信機によって特定された前記航空機の前記位置を特定する前記位置情報を生成し、前記警報を生成し、前記航空機が遭難したという前記遭難識別器による決定に応じて、前記衛星通信送受信機を使用して前記通信衛星を経由して前記警報を送信するように構成されたプロセッサ、並びに
前記航空機の外側において前記航空機に取り付けられ、前記衛星航法システム受信機、前記衛星通信送受信機、前記幾つかのアンテナ、前記遭難識別器、及び前記プロセッサを含む、ハウジングを備える、請求項１に記載の方法。
【請求項９】
通信衛星を経由して航空機から、前記航空機を特定する識別情報及び前記航空機の位置を特定する位置情報を含む警報を受信するように構成された受信機、
遭難無線ビーコンによって生成される信号の標準的な形式で、識別情報及び位置情報を含む、エミュレートされた遭難無線ビーコン信号を生成するように構成された、フォーマッタ、並びに
前記エミュレートされた遭難無線ビーコン信号を、捜索救助システムによって受信及び処理されるように構成されたエミュレートされた遭難無線ビーコンからの発信として、前記航空機以外の場所から送信するように構成された、送信機を備える装置であって、
前記装置が更に、前記エミュレートされた遭難無線ビーコン信号が送信される前に、前記航空機を特定する見掛けの遭難無線ビーコンからの発信が前記エミュレートされた遭難無線ビーコンからの発信であることを示す登録情報を、前記捜索救助システムへ送信するように構成されている、装置。
【請求項１０】
前記フォーマッタが、緊急位置発信器によって生成される信号の標準的な形式で、エミュレートされた緊急位置発信器信号として、前記エミュレートされた遭難無線ビーコン信号を生成するように構成され、
前記送信機が、前記エミュレートされた緊急位置発信器信号を、前記捜索救助システムによって受信及び処理されるように構成されたエミュレートされた緊急位置発信器からの発信として、前記航空機以外の前記場所から送信するように構成される、請求項９に記載の装置。
【請求項１１】
前記送信機が、緊急位置発信器からの発信をエミュレートするために、前記エミュレートされた緊急位置発信器信号を、およそ４０６ＭＨｚで送信するように構成される、請求項１０に記載の装置。
【請求項１２】
前記警報が、前記航空機が遭難したか否かを示す遭難情報を含む、請求項９に記載の装置。
【請求項１３】
前記航空機からの前記警報内の前記遭難情報を評価して、前記警報が、前記航空機が遭難したことを示す遭難警報であるか否かを決定するように構成された評価器を更に備え、
前記フォーマッタが、前記警報が前記遭難警報であるとの決定に応じて、前記エミュレートされた遭難無線ビーコン信号を生成するように構成される、請求項１２に記載の装置。
【請求項１４】
通信衛星を経由して航空機から、前記航空機を特定する識別情報及び前記航空機の位置を特定する位置情報を含む警報を送信するように構成された、前記航空機に搭載された追跡デバイス、
前記航空機から前記警報を受信し、遭難無線ビーコンによって生成される信号の標準的な形式で、識別情報及び位置情報を含むエミュレートされた遭難無線ビーコン信号を生成し、前記エミュレートされた遭難無線ビーコン信号を、エミュレートされた遭難無線ビーコンからの発信として、前記航空機以外の場所から送信するように構成された、航空機追跡システム、並びに
前記エミュレートされた遭難無線ビーコンからの発信を、捜索救助システム衛星を経由して、見掛けの遭難無線ビーコンからの発信として受信し、前記エミュレートされた遭難無線ビーコン信号を受信する前に、前記航空機を特定する見掛けの遭難無線ビーコンからの発信が前記エミュレートされた遭難無線ビーコン信号であることを示す登録情報を受信し、前記識別情報及び前記位置情報を使用して、捜索救助活動を行うように構成された、捜索救助システムを備える、システム。
【請求項１５】
前記航空機に搭載された前記追跡デバイスが、
衛星航法システムから受信したナビゲーション信号を使用して、前記航空機の前記位置を特定するように構成された衛星航法システム受信機、
衛星通信送受信機、
前記衛星航法システム受信機及び前記衛星通信送受信機のための幾つかのアンテナ、
前記航空機が遭難した時を特定するように構成された遭難識別器、
前記衛星航法システム受信機によって特定された前記航空機の前記位置を特定する前記位置情報を生成し、前記警報を生成し、前記航空機が遭難したという前記遭難識別器による決定に応じて、前記衛星通信送受信機を使用して前記通信衛星を経由して前記警報を送信するように構成されたプロセッサ、並びに
前記航空機の外側において前記航空機に取り付けられ、前記衛星航法システム受信機、前記衛星通信送受信機、前記幾つかのアンテナ、前記遭難識別器、及び前記プロセッサを含む、ハウジングを備える、請求項１４に記載のシステム。
【請求項１６】
前記航空機追跡システムが、
低地球軌道にある前記通信衛星を経由して前記航空機から前記警報を受信するように構成された受信機、
前記エミュレートされた遭難無線ビーコン信号を、緊急位置発信器によって生成される信号の標準的な形式で、エミュレートされた緊急位置発信器信号として生成するように構成された、フォーマッタ、及び
前記エミュレートされた遭難無線ビーコン信号を、エミュレートされた緊急位置発信器からの発信として送信するように構成された、送信機を備える、請求項１４に記載のシステム。
【請求項１７】
前記捜索救助システムが、ＣＯＳＰＡＳ‐ＳＡＲＳＡＴ捜索救助システムを備える、請求項１４に記載のシステム。
【請求項１８】
航空機からの警報を使用して捜索救助活動を実行する方法であって、
捜索救助システムによって、前記航空機を特定する識別情報及び前記航空機の位置を特定する位置情報を含む見掛けの遭難無線ビーコンからの発信を受信すること、
前記捜索救助システムによって前記識別情報を使用して、前記見掛けの遭難無線ビーコンからの発信が、航空機に配置された遭難無線ビーコンではない送信機から送信されたエミュレートされた遭難無線ビーコンからの発信であるか否かを示す、前記航空機のための登録情報を特定すること、及び
前記捜索救助システムによって前記位置情報を使用して、前記見掛けの遭難無線ビーコンからの発信が、航空機に配置された遭難無線ビーコンではない送信機から送信されたエミュレートされた遭難無線ビーコンからの発信であるとの決定に応じて、捜索救助活動を実行することを含む、方法。
【請求項１９】
前記見掛けの遭難無線ビーコンからの発信を受信することが、捜索救助システム衛星を介して前記見掛けの遭難無線ビーコンからの発信を受信することを含み、
前記登録情報が、前記送信機の位置を特定する送信機情報を含み、前記方法は更に、
前記捜索救助システム衛星のための衛星軌道情報、及び前記見掛けの遭難無線ビーコンからの発信に関する信号ドップラー測定を使用して、前記送信機の計算された位置を決定すること、及び
前記登録情報内で特定された前記送信機の位置を前記計算された位置と比較して、前記見掛けの遭難無線ビーコンからの発信が有効か否かを決定することを含む、請求項１８に記載の方法。